(57)【特許請求の範囲】
【請求項１】
Ｍ行×Ｎ列で構成される（Ｍ×Ｎ）データシンボルの情報データブロックに対して、列方向にＰシンボルの誤り訂正符号が付加され、（（Ｍ＋Ｐ）×Ｎ）シンボルの誤り訂正情報ブロックが構成され、各行がＫフレームで構成され、各フレームはＬ分割され、分割場所にバーストエラー検出シンボルが挿入され、バーストエラー検出シンボルは、列方向に（Ｍ＋Ｐ）／Ｊ  シンボルで誤り訂正符号系列を形成し、各フレームの先頭には同期信号が付加され、各フレームの同期信号及びシンボルデータが順次変調されて記録されている記録媒体（但し、Ｊ、Ｋ、Ｍ、Ｎは整数）の信号再生方法において、
同期信号を検出し、同期信号検出点を起点にして変調信号を一定間隔でシンボル分割して復調し、データシンボルを生成するステップと、
同期信号間距離を検出するステップと、
同期信号間距離が所定の距離からずれている場合、復調シンボル分割点を変更して元の変調信号をシンボル分割して再復調してデータシンボルを生成し、データシンボルの誤り訂正処理を行うステップと、
を具備する信号再生方法。
【請求項２】
前記誤り訂正処理ステップは、
同期信号間距離が所定の距離からずれている場合、復調データを再変調して元の変調信号に戻した後、復調シンボル分割点を変更して元の変調信号をシンボル分割して再復調してデータシンボルを生成し、データシンボルの誤り訂正処理を行うことを特徴とする請求項１記載の信号再生方法。
【請求項３】
Ｍ行×Ｎ列で構成される（Ｍ×Ｎ）データシンボルの情報データブロックに対して、列方向にＰシンボルの誤り訂正符号が付加され、（（Ｍ＋Ｐ）×Ｎ）シンボルの誤り訂正情報ブロックが構成され、各行がＫフレームで構成され、各フレームはＬ分割され、分割場所にバーストエラー検出シンボルが挿入され、バーストエラー検出シンボルは、列方向に（Ｍ＋Ｐ）／Ｊシンボルで誤り訂正符号系列を形成し、各フレームの先頭には同期信号が付加され、各フレームの同期信号及びシンボルデータが順次変調されて記録されている記録媒体（但し、Ｊ、Ｋ、Ｍ、Ｎは整数）の再生方法において、
同期信号を検出し、同期信号検出点を起点にして変調信号を一定間隔でシンボル分割して復調し、データサンプルを生成し、
同期信号間距離を検出し、
同期信号間距離が所定の距離からずれている場合、同期信号の前のフレームに挿入されたバーストエラー検出シンボルの誤り有無を検出し、
バーストエラー検出シンボルが誤っていると検出されたら、誤っていると検出されたバーストエラー検出シンボルと同期信号間の復調データを変調して元の変調信号に戻し、元の変調信号のデータシンボル分割点を変更して再復調してデータシンボルを生成し、データシンボルの誤り訂正処理を行う信号再生方法。
【請求項４】
Ｍ行×Ｎ列で構成される（Ｍ×Ｎ）データシンボルの情報データブロックに対して、列方向にＰシンボルの誤り訂正符号が付加され、（（Ｍ＋Ｐ）×Ｎ）シンボルの誤り訂正情報ブロックが構成され、各行がＫフレームで構成され、各フレームはＬ分割され、分割場所にバーストエラー検出シンボルが挿入され、バーストエラー検出シンボルは、列方向に（Ｍ＋Ｐ）／Ｊシンボルで誤り訂正符号系列を形成し、各フレームの先頭には同期信号が付加され、各フレームの同期信号及びシンボルデータが順次変調され記録されている記録媒体（但し、Ｊ、Ｋ、Ｍ、Ｎは整数）の信号再生方法において、
同期信号を検出し、同期信号検出点を起点にして変調信号を一定間隔でシンボル分割して復調し、
各フレームに挿入されたバーストエラー検出シンボルの誤り訂正処理を実行し、
バーストエラー検出シンボルが誤っていると検出されたら、そのフレームの復調データを再変調して元の変調信号に戻し、元のバーストエラー検出シンボル分割点を前後にシフトして新規シンボル分割点まで移動させ、変調データを新規シンボル分割点により復調し、
前記バーストエラー検出シンボルの誤り訂正されたデータと、新規シンボル分割点により復調したバーストエラー検出シンボルが等しい場合、新規シンボル分割点を起点して変調信号を復調する信号再生方法。
【請求項５】
さらにバーストエラー検出シンボルが誤っている場合、バーストエラー検出シンボルを誤り訂正処理したデータと、フレーム内データシンボルを再変調して生成したチャネルビット列の分割点を変更して再復調したデータが上記誤り訂正したバーストエラー検出シンボルデータと等しい分割点を、それ以降のデータシンボルの分割点とする請求項１に記載の信号再生方法。
【請求項６】
上記バーストエラー検出シンボルがフレーム内に複数箇所挿入されたデータが変調されて記録された記録媒体の再生において、検出された同期信号を起点にしてシンボル分割され復調されたデータシンボルを再変調し、  再び分割点を変更して再復調する時、各バーストエラー検出シンボルの正しい分割点ズレ量が検出されたら、そのズレ量に基づいてデータシンボル復調の変更分割点を決定する請求項１乃至請求項３のいずれか一項に記載の信号再生方法。
【請求項７】
上記バーストエラー検出シンボルがフレーム内に複数箇所挿入されており、同期信号検出距離がずれて検出された時、先ず当該同期信号の前のフレームにおける当該同期信号に最も近いバーストエラー検出シンボルの誤り検出訂正結果を調べ、次にその前のバーストエラー検出シンボルの誤り検出訂正結果を調べ、当該同期信号の前の同期信号まで順次検出訂正結果を調べ、データシンボルの再分割点を調整する請求項１乃至請求項３のいずれか一項に記載の信号再生方法。
【請求項８】
上記同期信号の検出タイミングにズレが検出された時、バーストエラー検出用シンボルが誤っている場合、データシンボルをチャネルビット信号に戻して同期信号の検出タイミングズレに応じてシンボル分割点を変更して再復調し、変更したデータシンボルはエラーとしてフラグをたて、データシンボルの誤り訂正処理を行う請求項１乃至請求項３のいずれか一項に記載の信号再生方法。
【請求項９】
Ｍ行×Ｎ列で構成される（Ｍ×Ｎ）データシンボルの情報データブロックに対して、列方向にＰシンボルの誤り訂正符号が付加され、（（Ｍ＋Ｐ）×Ｎ）シンボルの誤り訂正情報ブロックが構成され、各行がＫフレームで構成され、各フレームはＬ分割され、分割場所にバーストエラー検出シンボルが挿入され、バーストエラー検出シンボルは、列方向に（Ｍ＋Ｐ）／Ｊ  シンボルで誤り訂正符号系列を形成し、各フレームの先頭には同期信号が付加され、各フレームの同期信号及びシンボルデータが順次変調されて記録されている記録媒体（但し、Ｊ、Ｋ、Ｍ、Ｎは整数）の信号再生装置において、
同期信号を検出し、同期信号検出点を起点にして変調信号を一定間隔でシンボル分割して復調し、データシンボルを生成する手段と、
同期信号間距離を検出する手段と、
同期信号間距離が所定の距離からずれている場合、復調シンボル分割点を変更して元の変調信号をシンボル分割して再復調してデータシンボルを生成し、データシンボルの誤り訂正処理を行う手段と、
を具備する信号再生装置。
【請求項１０】
前記誤り訂正処理手段は、
同期信号間距離が所定の距離からずれている場合、復調データを再変調して元の変調信号に戻した後、復調シンボル分割点を変更して元の変調信号をシンボル分割して再復調してデータシンボルを生成し、データシンボルの誤り訂正処理を行うことを特徴とする請求項９記載の信号再生装置。
【請求項１１】
Ｍ行×Ｎ列で構成される（Ｍ×Ｎ）データシンボルの情報データブロックに対して、列方向にＰシンボルの誤り訂正符号が付加され、（（Ｍ＋Ｐ）×Ｎ）シンボルの誤り訂正情報ブロックが構成され、各行がＫフレームで構成され、各フレームはＬ分割され、分割場所にバーストエラー検出シンボルが挿入され、バーストエラー検出シンボルは、列方向に（Ｍ＋Ｐ）／Ｊシンボルで誤り訂正符号系列を形成し、各フレームの先頭には同期信号が付加され、各フレームの同期信号及びシンボルデータが順次変調されて記録されている記録媒体（但し、Ｊ、Ｋ、Ｍ、Ｎは整数）の再生装置において、
同期信号を検出し、同期信号検出点を起点にして変調信号を一定間隔でシンボル分割して復調し、データサンプルを生成する手段と、
同期信号間距離を検出する手段と、
同期信号間距離が所定の距離からずれている場合、同期信号の前のフレームに挿入されたバーストエラー検出シンボルの誤り有無を検出する手段と、
バーストエラー検出シンボルが誤っていると検出されたら、誤っていると検出されたバーストエラー検出シンボルと同期信号間の復調データを変調して元の変調信号に戻し、元の変調信号のデータシンボル分割点を変更して再復調してデータシンボルを生成し、データシンボルの誤り訂正処理を行う手段と、
を具備する信号再生装置。
【請求項１２】
Ｍ行×Ｎ列で構成される（Ｍ×Ｎ）データシンボルの情報データブロックに対して、列方向にＰシンボルの誤り訂正符号が付加され、（（Ｍ＋Ｐ）×Ｎ）シンボルの誤り訂正情報ブロックが構成され、各行がＫフレームで構成され、各フレームはＬ分割され、分割場所にバーストエラー検出シンボルが挿入され、バーストエラー検出シンボルは、列方向に（Ｍ＋Ｐ）／Ｊシンボルで誤り訂正符号系列を形成し、各フレームの先頭には同期信号が付加され、各フレームの同期信号及びシンボルデータが順次変調され記録されている記録媒体（但し、Ｊ、Ｋ、Ｍ、Ｎは整数）の信号再生装置において、
同期信号を検出し、同期信号検出点を起点にして変調信号を一定間隔でシンボル分割して復調する手段と、
各フレームに挿入されたバーストエラー検出シンボルの誤り訂正処理を実行する手段と、
バーストエラー検出シンボルが誤っていると検出されたら、そのフレームの復調データを再変調して元の変調信号に戻し、元のバーストエラー検出シンボル分割点を前後にシフトして新規シンボル分割点まで移動させ、変調データを新規シンボル分割点により復調する手段と、
前記バーストエラー検出シンボルの誤り訂正されたデータと、新規シンボル分割点により復調したバーストエラー検出シンボルが等しい場合、新規シンボル分割点を起点して変調信号を復調する手段と、
を具備する信号再生装置。
【請求項１３】
さらにバーストエラー検出シンボルが誤っている場合、バーストエラー検出シンボルを誤り訂正処理したデータと、フレーム内データシンボルを再変調して生成したチャネルビット列の分割点を変更して再復調したデータが上記誤り訂正したバーストエラー検出シンボルデータと等しい分割点を、それ以降のデータシンボルの分割点とする請求項９に記載の信号再生装置。
【請求項１４】
上記バーストエラー検出シンボルがフレーム内に複数箇所挿入されたデータが変調されて記録された記録媒体の再生において、検出された同期信号を起点にしてシンボル分割され復調されたデータシンボルを再変調し、  再び分割点を変更して再復調する時、各バーストエラー検出シンボルの正しい分割点ズレ量が検出されたら、そのズレ量に基づいてデータシンボル復調の変更分割点を決定する請求項９乃至請求項１２のいずれか一項に記載の信号再生装置。
【請求項１５】
上記バーストエラー検出シンボルがフレーム内に複数箇所挿入されており、同期信号検出距離がずれて検出された時、先ず当該同期信号の前のフレームにおける当該同期信号に最も近いバーストエラー検出シンボルの誤り検出訂正結果を調べ、次にその前のバーストエラー検出シンボルの誤り検出訂正結果を調べ、当該同期信号の前の同期信号まで順次検出訂正結果を調べ、データシンボルの再分割点を調整する請求項９乃至請求項１２のいずれか一項に記載の信号再生装置。
【請求項１６】
上記同期信号の検出タイミングにズレが検出された時、バーストエラー検出用シンボルが誤っている場合、データシンボルをチャネルビット信号に戻して同期信号の検出タイミングズレに応じてシンボル分割点を変更して再復調し、変更したデータシンボルはエラーとしてフラグをたて、データシンボルの誤り訂正処理を行う請求項９乃至請求項１２のいずれか一項に記載の信号再生装置。
【発明の詳細な説明】
【０００１】
【発明の属する技術分野】
本発明は、特定単位の情報ブロックに誤り訂正符号を付加した誤り訂正処理に関し、特にデータ復調と誤り訂正処理の相互関係を利用したデータ復調補正処理を行う信号再生方法及び信号再生装置に関する。
【０００２】
【従来の技術】
バイト（８ビット）単位でデジタルデータを記録し、伝送するシステムに於いては、リードソロモン誤り訂正積符号ブロックを構成してデータを処理する場合が多い。即ち、（Ｍ×Ｎ）バイトのデータをＭ行×Ｎ列の行列に配置し、列毎のＭバイトの情報部にＰｏバイトの誤り訂正検査ワードを付加するとともに、行毎のＮバイトの情報部にＰｉバイトの誤り訂正検査ワードを付加して、（Ｍ＋Ｐｏ）行×（Ｎ＋Ｐｉ）列のリードソロモン積符号ブロックを構成する。このリードソロモン誤り訂正積符号ブロックを記録、伝送する事により、再生側や受信側では、ランダム誤り及びバースト誤りを効率よく訂正できる。
【０００３】
このようなリードソロモン誤り訂正積符号ブロックは、符号語全体の大きさ、即ち（Ｍ＋Ｐｏ）×（Ｎ＋Ｐｉ）に対する誤り訂正検査ワードの部分（Ｐｉ×Ｍ＋Ｐｏ×Ｎ＋Ｐｏ×Ｐｉ）の比率（冗長率）が小さい程、記録、伝送の効率が高い事になる。一方、誤り訂正検査ワードＰｉ、Ｐｏが大きい程、ランダム誤りに対してもバースト誤りに対しても訂正能力は高くなる。
【０００４】
ここで、リードソロモン誤り訂正積符号ブロックの冗長率が同一でも、Ｍ、Ｎが小さく、従ってＰｉ、Ｐｏも小さいリードソロモン誤り訂正積符号ブロックの方が、Ｍ、Ｎが大きく、従ってＰｉ、Ｐｏも大きいリードソロモン誤り訂正積符号ブロックよりも、訂正能力が低下する事が知られている。
【０００５】
このようにＭ、Ｎを大きくすれば、同一の冗長率でもＰｉ、Ｐｏを大きく出来るため、高い訂正能力が得られる事は知られているものの、以下に述べる制約条件を充たすもので無ければ実現できない。
【０００６】
第一に、リードソロモン符号語を構成できる為の符号語長として、語長（シンボル長）が８ビット場合、Ｍ＋Ｐｏ及びＮ＋Ｐｉは２５５バイト以下で無ければならないという制約条件がある。尚、上記ＰｉはＰＩ系列の誤り訂正符号長、ＰｏはＰＯ系列の誤り訂正符号長である。
【０００７】
これらの諸条件を元に、情報記録メディアとして、ＤＶＤ−ＲＯＭやＤＶＤ−ＲＡＭ及びＤＶＤ−Ｒ等の光ディスク規格が近年発表された。これら規格の内、ＤＶＤ−ＲＯＭとＤＶＤ−ＲＡＭはＩＳＯ化がＤＩＳ１６４４８（８０ｍｍ  ＤＶＤ−ＲＯＭ）、ＤＩＳ１６４４９（１２０ｍｍ  ＤＶＤ−ＲＯＭ）、ＤＩＳ１６８２５（ＤＶＤ−ＲＡＭ）として確定した。
【０００８】
このＤＶＤ規格では、誤り訂正符号化処理方式に対して、ＲＳＰＳ（リードソロモンプロダクトコード）方式が採用され、従来の光ディスク系で用いられている方式に比べ、少ない冗長率の誤り検査ワードで誤り訂正能力は格段の向上を充たした。
【０００９】
ＤＶＤの誤り訂正方式に対しては、基本的には前記した通りであるが、そのベースとなる問題は、ランダム誤り訂正能力とバースト誤り訂正能力の目標値をどの程度とするかにある。これらの決定には記録媒体の記録方式や取り扱いからくるディフェクト発生等を考慮して決定しなくてはならない。
【００１０】
記録／再生方式に関しては、光ディスク系では記録波長や光学系特性から来る記録／再生用ビームスポットサイズから決められる記録密度が誤り訂正方式決定に大きな要因を持つ。特に、バースト誤りの訂正能力決定では、取り扱いなどから発生する傷等のディフェクト長は経験から求められるが、誤り訂正能力は物理的なディフェクト長に線記録密度を乗じたものが情報データのバーストエラー長となり、記録密度向上により合わせて訂正能力を上げる必要がでてくる。記録密度に関して、再生系を例に記述すると下記のようになる。
【００１１】
光源波長をλ、対物レンズの開口をＮＡとすると、レーザ光のスポットサイズの半径Ｒは、次の式（１）のように表される。
【００１２】
Ｒ＝０．３２λ／ＮＡ                        （１）
この式（１）に表すように、レーザ光のスポットサイズの半径を小さくする為には、波長λを短くするか、または対物レンズの開口率ＮＡを大きくすれば良い。
【００１３】
さて、ＤＶＤにおいては、採用されている波長は６５０ｎｍ、ＮＡは０．６である。誤り訂正方式としては、リードソロモン積符号で、（Ｍ×Ｎ）＝（１９２×１７２）バイトの情報データブロックに対して、夫々ＰＩ＝１０バイト、ＰＯ＝１６バイトとする、
行側内符号  ＲＳ（１８２，１７２，１１）
列側外符号  ＲＳ（２０８，１９２，１７）
が採用されている。ここでは、ＰＩ系列で誤り訂正を行い、訂正不能行にエラーマークフラグをつけ、ＰＯ系列でエラーマークをエラーポジションとして扱い、エラーパターンのみを演算抽出する「消失訂正」方式を用いれば、最大１６行のバーストエラーが訂正できる。
【００１４】
ＤＶＤでは、記録密度はデータビット長＝０．２６７ｎｍであるから、
０．０００２６７×８×１８２×１６＝６．２ｍｍ
約６ｍｍのバーストエラー訂正能力があると言える。
【００１５】
しかしながら、次世代ＤＶＤとして更なる高密度化による大容量光ディスクの検討が始まっている。現行のＤＶＤ以上に大容量化の為には記録密度を上げなくてはならない。最近のこれらの要求に答えるべく記録密度向上のためには、レーザスポットサイズを小さくするために、式（１）で示したように、波長λを短くするか、開口率ＮＡを大きくすることが必要になる。最近各社が研究している方式は、波長λ＝４０５ｎｍ、開口率ＮＡ＝０．８５を採用する検討がなされている。このような方式を用いれば、現行のＤＶＤの５倍以上の高密度化が可能になり、ディスク１枚にＨｉ−ｖｉｓｉｏｎ等の高精細映像が２時間以上記録可能となる。
【００１６】
しかしながら、開口率ＮＡを大きくすると、収差が大きくなり、信号の記録再生が困難になる。その解決方法の一つとして、ディスク基盤を薄くして収差を少なくする方法が知られている。
【００１７】
ＤＶＤもコンパクトディスク（ＣＤ）で使われていた１．２ｍｍ厚の基盤を、０．６ｍｍにすることで、収差問題対策が行われた。次世代では０．１ｍｍ程度の薄カバー方式が検討されている。
【００１８】
ところが、基盤厚を薄くすると、収差が少なくなる反面、従来問題が少なかったディスク基盤表面の小さなほこりや傷によってデータエラーを大きくなってしまうと言う問題が生じる事になる。
【００１９】
このような方式での高密度化に於いては、従来の誤り訂正方式を導入すると、従来と同様なディフェクト対応能力を持たせる事が出来ない。一例として、バーストエラー訂正能力では、ＤＶＤ並みの能力を持たせる為には、訂正能力を２〜３倍向上させる必要がある。
【００２０】
更に、前記で記述したように誤り訂正符号長は、シンボル長＝８ビット系の処理システムを用いる限り、２５５バイトが最大であり、ＤＶＤ規格がＰＯ系列２０８バイトである事から、バーストエラー対応能力は限界に近く、僅かにしか向上は見込めない。
【００２１】
訂正を能力向上させる為には、訂正符号を大きくすれば良いが、データ利用率が悪化する。そこで、従来はインターリーブ技術を使って、バーストエラー訂正能力向上が考えられてきた。
【００２２】
ＤＶＤの誤り訂正方式をベースに、従来考えられてきた能力向上方式を説明する。
【００２３】
図９は、ＤＶＤで採用されているデータセクタ構造を示す。１７２バイト×１２行が１データセクタとされる。１行目のみ最初に４バイトのＩＤと、２バイトのＩＥＤ、６バイトのＣＰＲ−ＭＡＩが設けられ、残りの１６０バイトがメインデータである。２行目からは１７２バイト全てがメインデータである。最終行は１６８バイトのメインデータの後ろに４バイトのＥＤＣが設けられる。
【００２４】
図１０に示すように、１６個のデータセクタを集合させて、１個の誤り訂正（ＥＣＣ）データブロックを構成する。１個の誤り訂正データブロックは１７２バイト×１９２行のデータブロックを含む。１９２行の各列に対して、１６行の誤り訂正外符号ＰＯを生成し、次に外符号ＰＯ行も含めた２０８行の各行に対して、１０バイトの誤り訂正内符号ＰＩを生成し、（１７２＋１０）バイト×（１９２＋１６）行の誤り訂正ブロックが構築される。
【００２５】
ここで、１６行の誤り訂正ブロック（外符号ＰＯ）は実際には、図１１に示すように１２行で構成される各セクタに分散配置することによる行インターリーブ処理を行い、１２行（データブロック）＋１行（外符号ＰＯ）からなる１６組の記録セクタ０〜１５が構成される。図１１は、ＰＯ符号行がインターリーブ処理された後の誤り訂正データブロックを示す。
【００２６】
ＤＶＤ方式に用いられているような積符号ブロックで訂正能力向上には、ランダムエラー訂正能力は差異は無いが、バーストエラー訂正能力向上は、インターリーブ処理の導入で可能である。
【００２７】
図１２は、従来考えられてきたバーストエラー訂正能力の向上のための一方式である。すなわち、訂正符号が付加された図１１に示すＥＣＣブロックＡとＢとの間にて、インターリーブ処理による行の入れ替えを行う。図１２では、ＥＣＣブロックＡの偶数行とＥＣＣブロックＢの奇数行で、新記録ＥＣＣブロックＡ´を構成し、ＥＣＣブロックＡの奇数行とＥＣＣブロックＢの偶数行で新記録ＥＣＣブロックＢ´を構成する。このようにすると、訂正処理から見た誤り訂正符号は、２倍の距離に分散された事になり、結果として２倍長のバーストエラーに対しても訂正可能な能力を有する事になる。
【００２８】
上記のような積符号を使わない方法として、最近ＬＤＣ（Ｌｏｎｇ−Ｄｉｓｔａｎｃｅ  ｅｒｒｏｒ  ｃｏｒｒｅｃｔｉｏｎ）Ｃｏｄｅを用いた方式が提案されている。ハードディスクドライブやＭＯディスクドライブに用いられているＬＤＣコード方式は、列方向のみに誤り訂正符号を生成付加するもので、行方向の訂正符号を用いない為、列方向訂正符号を大きく出来る。
【００２９】
しかしながら、従来のＬＤＣコードによる訂正方式は、積符号で利用されるエラーマークフラグを用いた消失訂正技術が利用できない。すなわち積符号方式では、行方向の誤り訂正処理で訂正不能であった行は、エラーマークをつけておき、列方向の誤り訂正処理において、エラーポジション情報を前記エラーマークで代用することで、訂正処理における演算抽出をエラーパターンのみに出来、結果として訂正能力を向上できるものである。
【００３０】
近年、このような積符号で利用されている消失訂正技術をＬＤＣコード方式でも利用する技術開発がなされている。一例が”Error Modeling and Performance Analysis of Error-Correcting Codes for the Digital Video Recording System”, Kouhei Yamamoto et al., ＳＰＩＥ学会誌第３８６４号第３３９頁〜第３４１号に記載されている。
【００３１】
この文献は、オープンメディア及びリムーバルメディアである光ディスク系の持つショートバーストエラーに対する能力向上を目指したＥＣＣブロック構造を提案する。このブロック構造は、図１３に示すように、データストリーム（データの流れ）方向、すなわち行方向には誤り訂正符号は設けず、列方向にのみ誤り訂正符号を付加したＬＤＣコード方式である。行方向に誤り訂正符号を設けない代わりに、行方向に一定単位（ｎバイト）毎に制御コードと誤り訂正符号からなるショートバーストエラー検出のためのバーストエラー検出コード（ＢＥＣ）シンボルを挿入する。ＢＥＣシンボルがエラーであれば、周囲のデータシンボルはエラーと見なして、積符号での消失訂正に用いるエラーマークフラグのような機能を持たせる事で、訂正能力を向上させる。
【００３２】
８ｎバイト×Ｍ行の情報データは、行方向にＰバイトの誤り訂正符号が生成付加される。例えば、各列の訂正方式は、リードソロモン符号ＲＳ［Ｍ＋Ｐ、Ｍ、Ｐ＋１］が用いられる。訂正符号が付加された（８ｎ）バイト×（Ｍ＋Ｐ）行の訂正ブロックは、行方向に８等分され、最初と４ブロック目と５ブロック目の間を除き、他のブロック境界に計６個のＢＥＣシンボルを挿入する。ＢＥＣシンボルは、図１４に示すように、制御情報（Ｓバイト）とパリティー符号（Ｑバイト（Ｓ＋Ｑ＝ｋ−１））の符号長で構成される信号である。
【００３３】
ＢＥＣシンボル以外にも、最初と４ブロック目と５ブロック目に更に同期信号（ＳＹＮＣ）を挿入して、ＢＥＣシンボルとＳＹＮＣシンボルの検出結果から、そこに挟まれたデータの信頼性を予測して、ＬＤＣでの誤り訂正処理を行う。
【００３４】
このような技術を用いると、ショートバーストエラーの多い光ディスクではエラー状況を検出して、更なる性能向上を得られる可能性がある。
【００３５】
【発明が解決しようとする課題】
光ディスクなどのバーストエラーは埃や傷等のディフェクトによって発生するが、データ読み出しでの再生処理では、ディスクから読み出された信号は「リードチャネル」部にある読み出すクロック生成回路と、そこで作られた読み出しクロックでデータを読み出す回路に供給される。現在の記録再生方式はセルフクロック方式になっており、リードチャネル部の読み出しクロック生成回路がチャネル同期状態を一旦外れると、再同期化され、正しいチャネルデータが読み出されても、同期外れ→同期化処理で１〜数チャネルビット程度のビットシフトが発生してしまう。ビットシフトが発生すると、１シンボル＝ｎチャネルビットとした場合のシンボル分割点が変化してしまい、復調部では正しいデータシンボルに復調されない（同期ズレ）事になる。このような同期ズレによって起こるデータエラーは次に来る同期信号でエラー連鎖を防止しているが、データ構造による効率向上では、同期信号距離間が長くなっており、エラーが増大している。上記ビットシフトは、読み出しクロックの同期外れ→同期化等で発生するチャネルビットクロックの増減によるシンボル分割点のチャネルビットシフトのことであるが、このようなビットシフトは、オープンメディアの光ディスクでは傷などによって多く発生し、データ構造効率化を目指した、同期信号期間の長い符号長ではエラー伝播が長くなり問題があった。
【００３６】
尚、上記ビットシフトは、ディフェクトによるチャネルビットデータの読み出しクロックがディフェクトの期間で増減する事により、シンボル分割点がシフトする事を示しているが、この他に読み出し信号の波形歪現象などで一部の領域が前後にシフトする現象もあり、このような現象も本発明ではビットシフトと呼ぶ。
【００３７】
このように積符号で利用されている消失訂正技術を利用する従来のＬＤＣコード方式による訂正方式はビットシフトにより正しいデータシンボルに復調されない（同期ズレ）事がある。
【００３８】
本発明は、記録密度を向上した記録媒体へのデータ記録再生に関わり、ディフェクト等に対する誤り訂正能力を向上させる為、ディフェクト等で発生するビットストリームシフト対策を目的とする。
【００３９】
また、本発明の他の目的は、所定のシンボルサイズで、かつ大きな誤り訂正ブロックを採用する記録再生において、ショートバーストエラー検出符号の確認処理を行う事で、ビットシフト現象で発生するエラー伝播を少なくする事である。
【００４０】
【課題を解決するための手段】
上記した課題を解決し目的を達成するために、本発明は以下に示す手段を用いている。
【００４１】
（１）本発明の信号再生方法及び装置は、Ｍ行×Ｎ列で構成される（Ｍ×Ｎ）データシンボルの情報データブロックに対して、列方向にＰシンボルの誤り訂正符号が付加され、（（Ｍ＋Ｐ）×Ｎ）シンボルの誤り訂正情報ブロックが構成され、各行がＫフレームで構成され、各フレームはＬ分割され、分割場所にバーストエラー検出シンボルが挿入され、バーストエラー検出シンボルは、列方向に（Ｍ＋Ｐ）／Ｊ  シンボルで誤り訂正符号系列を形成し、各フレームの先頭には同期信号が付加され、各フレームの同期信号及びシンボルデータが順次変調されて記録されている記録媒体（但し、Ｊ、Ｋ、Ｍ、Ｎは整数）の信号再生方法及び装置において、
同期信号を検出し、同期信号検出点を起点にして変調信号を一定間隔でシンボル分割して復調し、データシンボルを生成し、
同期信号間距離を検出し、
同期信号間距離が所定の距離からずれている場合、復調シンボル分割点を変更して元の変調信号をシンボル分割して再復調してデータシンボルを生成し、データシンボルの誤り訂正処理を行うものである。
【００４２】
この方法及び装置によれば、特定の方式で変調された信号が伝送或いは記録媒体から読み出され再生する場合、同期信号の検出状態でチャネルビットをシンボルデータに復調する場合の分割点を変更することで、チャネルビットデータが正しく読み出されていれば、従来エラーになっていたシンボルデータを正しいシンボルデータで読み出す事が出来る。
【００４３】
（２）本発明の他の信号再生方法及び装置は、Ｍ行×Ｎ列で構成される（Ｍ×Ｎ）データシンボルの情報データブロックに対して、列方向にＰシンボルの誤り訂正符号が付加され、（（Ｍ＋Ｐ）×Ｎ）シンボルの誤り訂正情報ブロックが構成され、各行がＫフレームで構成され、各フレームはＬ分割され、分割場所にバーストエラー検出シンボルが挿入され、バーストエラー検出シンボルは、列方向に（Ｍ＋Ｐ）／Ｊシンボルで誤り訂正符号系列を形成し、各フレームの先頭には同期信号が付加され、各フレームの同期信号及びシンボルデータが順次変調されて記録されている記録媒体（但し、Ｊ、Ｋ、Ｍ、Ｎは整数）の再生方法及び装置において、
同期信号を検出し、同期信号検出点を起点にして変調信号を一定間隔でシンボル分割して復調し、データサンプルを生成し、
同期信号間距離を検出し、
同期信号間距離が所定の距離からずれている場合、同期信号の前のフレームに挿入されたバーストエラー検出シンボルの誤り有無を検出し、
バーストエラー検出シンボルが誤っていると検出されたら、誤っていると検出されたバーストエラー検出シンボルと同期信号間の復調データを変調して元の変調信号に戻し、元の変調信号のデータシンボル分割点を変更して再復調してデータシンボルを生成し、データシンボルの誤り訂正処理を行うものである。
【００４４】
本発明の他の方法及び装置によれば、ショートバースト検出符号の訂正処理結果を併用して、ビットシフト対策を行う事で、チャネルビットクロックのシフト現象発生範囲も指定できる。
【００４５】
（３）本発明の別の信号再生方法及び装置は、Ｍ行×Ｎ列で構成される（Ｍ×Ｎ）データシンボルの情報データブロックに対して、列方向にＰシンボルの誤り訂正符号が付加され、（（Ｍ＋Ｐ）×Ｎ）シンボルの誤り訂正情報ブロックが構成され、各行がＫフレームで構成され、各フレームはＬ分割され、分割場所にバーストエラー検出シンボルが挿入され、バーストエラー検出シンボルは、列方向に（Ｍ＋Ｐ）／Ｊシンボルで誤り訂正符号系列を形成し、各フレームの先頭には同期信号が付加され、各フレームの同期信号及びシンボルデータが順次変調され記録されている記録媒体（但し、Ｊ、Ｋ、Ｍ、Ｎは整数）の信号再生方法及び装置において、
同期信号を検出し、同期信号検出点を起点にして変調信号を一定間隔でシンボル分割して復調し、
各フレームに挿入されたバーストエラー検出シンボルの誤り訂正処理を実行し、
バーストエラー検出シンボルが誤っていると検出されたら、そのフレームの復調データを再変調して元の変調信号に戻し、元のバーストエラー検出シンボル分割点を前後にシフトして新規シンボル分割点まで移動させ、変調データを新規シンボル分割点により復調し、
前記バーストエラー検出シンボルの誤り訂正されたデータと、新規シンボル分割点により復調したバーストエラー検出シンボルが等しい場合、新規シンボル分割点を起点して変調信号を復調するものである。
【００４６】
本発明の別の方法及び装置によれば、ショートバーストエラー検出符号の誤り訂正結果とシンボル分割点を変更した場合で得られるショートバーストエラー検出符号を比較する処理工程を導入することで、ビットシフト現象の発生の有無の信頼性が大幅に向上できる。
【００４７】
【発明の実施の形態】
以下、図面を参照して本発明による信号再生方法及び装置の実施形態を説明する。
【００４８】
第１実施形態
図１は本発明の第１実施形態に係る信号再生装置としてのＤＶＤディスクドライブの基本的な構成を示す図である。図１を参照してディスクに書き込まれたデータを読み出す工程を説明する。
【００４９】
記録媒体である光ディスク１０から光ピックアップヘッド１２にて読み出された信号は、プリアンプ１４で増幅や波形等価処理等が行われ、リードチャネル部１６に送られる。ここでは、送り込まれた信号の周波数成分と位相成分を抽出して、内蔵のＰＬＬ（Ｐｈａｓｅ  Ｌｏｃｋｅｄ  Ｌｏｏｐ）回路でチャネルビットデータ読み出しのチャネルビットクロック（ＰＬＣＫ）が生成される。このクロックＰＬＣＫによって同期信号が検出され、続いて送られてくる信号からチャネルビットデータが読み出される。読み出されたチャネルビットデータは復調部１８でシンボルデータに復調され、セクタ同期やエラー訂正ブロック同期が取られ、バッファメモリ２０の指定場所に一旦記録される。
【００５０】
バッファメモリ２０に記憶されたデータがエラー訂正ブロック単位で記憶されると、誤り訂正部２２は順次記憶されたデータを読み出し、誤り訂正処理を実行する。この処理で、バッファメモリ２０内のデータは誤り訂正処理が行われ、外部からのデータ要求指示でインターフェース（Ｉ／Ｆ）部２４を通して、外部に送り出される。これがドライブの再生処理の工程である。
【００５１】
光ディスク１０のモータ２６を制御するサーボ回路２８、誤り訂正部２２、Ｉ／Ｆ部２４にはマイコンバス３２を介して制御マイコン３０が接続される。
【００５２】
さてこのような処理工程の中で、誤り訂正方式に積符号を用いず、ＬＤＣコードを採用し、訂正能力を向上させる為、ＢＥＣシンボルを付加した訂正処理によるビットシフト補償技術を説明する。
【００５３】
図２は本実施形態におけるＢＥＣシンボルが挿入されたＥＣＣブロックを示す。図２では、一行に６列のＢＥＣが挿入され、ＢＥＣ一列には２組の（一列のＢＥＣ列、例えば最初のＢＥＣ列は「Ｂ００〜Ｂ０ｋ」と「Ｂ６０〜Ｂ６ｋ」の２組のＢＥＣ系列がある）ＢＥＣシンボルが１行置きに一列に配置された例である。実際は２組とは限らず、複数組のＢＥＣシンボルが順に配置されていてもよい。あるいは、４組が一列に配置され、ＢＥＣシンボル列は６列あるため、全体で２４組のＢＥＣシンボルが挿入されていてもよい。図２は全体で１２組のＢＥＣ系列がある。
【００５４】
尚、主情報データはＭバイトの情報にＰバイトのパリティーが生成付加されているが、ＢＥＣシンボルは符号長が（Ｍ＋Ｐ）／Ｊで、ＢＥＣの訂正符号がＰシンボルであれば、主情報のパリティー数と同じ為、ＢＥＣのデータ長は（（Ｍ＋Ｐ）／Ｊ）−Ｐとなり、データ長に対してパリティー長の比率が大きくなる為、主情報データに対して誤り訂正能力は強力になっている。ＢＥＣシンボルが付加されると、次に、伝送または記録されるとき、情報及びＢＥＣシンボルは変調されるが、合わせて先頭と上記分割の４ブロックと５ブロック目の間には同期信号ＳＹＮＣが付加される。この同期信号ＳＹＮＣの付加も含めた構成が図２で示している。
【００５５】
このような構成で情報データ及びＢＥＣシンボルは変調され、伝送または記録されるが、記録または伝送された信号を再生する場合、傷やその他のディフェクトによって発生する信号欠陥がある。この信号欠陥は単にデータを破壊するだけで無く、データ読み出しを行う読み出しクロック生成のＰＬＬ回路を乱す事がある。ＰＬＬの乱調で、チャネルビット同期外れが発生し、正しい信号によって再同期が行われても、１〜２クロック程度のクロック増減は発生する場合が非常に多い。このような動作は、信号処理系から見れば同期信号間の距離が増減したような動作となり、チャネルビットデータをシンボルデータに復調する為のチャネルビット分割点が誤ってしまう結果となる。このようなビットシフト現象が発生すると、次の同期信号でチャネルビット同期が再同期されるまで、全てのシンボルデータはエラーとなる。
【００５６】
図３は信号欠陥によってビットシフトが発生する関係を示している。ここでは、同期信号（ＳＹＮＣ）間で欠陥が発生し、読出しが同期外れ、ビットシフトが発生する。
【００５７】
図４はビットシフトによって発生する各信号の関係を示すタイミングチャートである。一般に、再生装置での同期信号検出回路は、情報領域にも傷などで偽同期信号パターンが発生する事が考えられる事から、前に検出された同期信号によって同期信号検出ウインド回路は動作させ、実際はチャネルビットクロックをカウントし、次の同期信号が発生するタイミングをセンターにして前後に幅を持たせて検出ウインドを発生させ、その中で同期信号が検出されたら正しい同期信号として認識する。
【００５８】
図４においては、再生信号に対して検出された同期信号を「ＳＹＮＣ検出信号」、前の同期信号から規定のＳＹＮＣ間距離のジャストポイントに発生させる信号を「ＳＹＮＣ間検出ＴＰ」、ＳＹＮＣ検出ウインドを「ＳＹＮＣ検出ＷＤ」と表示している。
【００５９】
図３のようなＳＹＮＣ間欠陥によってＰＬＬが欠陥領域で２クロック不足で出力してしまった「２ｃｂシフト例」の場合、図４に示すように再生信号に対して、「ＳＹＮＣ間距離ＴＰ」は２チャネルビット遅れたポイントで発生する。
【００６０】
シンクパターンの最後の変化ポイントを読み出した場合、「ＳＹＮＣ検出信号」を発生させ、１フレーム前の「ＳＹＮＣ検出信号」から距離を測定して「ＳＹＮＣ間距離ＴＰ」信号を発生させるとした場合、ＴＰ信号の中で「ＳＹＮＣ検出信号」の立ち上がりエッジが発生すれば、正しい距離でＳＹＮＣが発生したことになる。図４の２ＣＢシフトの場合は、ＴＰ信号に対して２ＣＢ前で「ＳＹＮＣ検出信号」のエッジが発生しており、前側に２ＣＢシフトしている事が判明する。実際は、前側にシフトしている場合は、ＳＹＮＣ検出信号のエッジからＴＰまでの距離を測定してシフト量が判明し、後側にシフトしている場合は、ＴＰからＳＹＮＣまでの距離を測定してシフト量を検出する。結果として、再生信号から検出された「ＳＹＮＣ検出信号」は「ＳＹＮＣ間距離ＴＰ」より２チャネルビット前に検出される。
【００６１】
再生動作では、ここで検出される同期信号前の情報データは、「ＳＹＮＣ間距離ＴＰ」を基準として（実際は前に検出された同期信号が基準）シンボル分割され復調器で復調される為、１チャネルでもビットシフトが発生すると、チャネルビットデータは正しく読み出されても、シンボルデータは全てエラーとなる。
【００６２】
このようなビットシフト現象は何処から始まりどの程度シフトしたかが検出できれば、シンボル分割点を変更して、シフトエラーを防止できる。シフト現象は欠陥によって必ず発生するものではない為、従来ではその検出は困難であった。本実施形態では図２のようなＢＥＣシンボル信号を用いて、シフト量の検出確認を行い、ショートバーストエラーを補償する。
【００６３】
図５はＢＥＣシンボルを付加した誤り訂正方式を導入した信号再生装置の第１実施形態のブロック図である。
【００６４】
記録媒体である光ディスク４０から光ピックアップヘッド４２にて読み出された信号は、図示しないプリアンプで増幅や波形等価処理等が行われ、リードチャネル部４４に送られる。ここでは、送り込まれた信号の周波数成分と位相成分を抽出して、ＰＬＬ（Ｐｈａｓｅ  Ｌｏｃｋｅｄ  Ｌｏｏｐ）回路等からなる同期検出分離回路４６でチャネルビットデータ読み出しのチャネルビットクロック（ＰＬＣＫ）が生成される。このクロックＰＬＣＫによって同期信号が検出され、続いて送られてくる信号からチャネルビットデータが読み出される。読み出されたチャネルビットデータから同期信号が検出され、シンボル分割点が決められると、復調部４８でシンボルデータに復調され、セクタ同期やエラー訂正ブロック同期が取られ、データ記憶部５０の指定場所に一旦記録される。この時、同期信号検出状況もデータ記憶部５０に記憶される。
【００６５】
データ記憶部５０に誤り訂正ブロック全データが記憶されたら、先ずＢＥＣ訂正・検出部５２でＢＥＣシンボルの誤り訂正処理を行う。エラーフラグコントロール部５４は、同期信号検出状況とＢＥＣシンボル訂正処理結果から、情報データの信頼性を示すフラグを生成する。一般的には、同期信号やＢＥＣシンボル符号が共に正しく検出されなかった（情報データの信頼性が無い）場合は、同期信号がチャネルビットシフトが発生し情報データは誤っていると判断して、再変調・再分割部６２で対象ＢＥＣシンボル符号周辺を再変調、再復調してシフト状態を調べ、その結果に応じて、同期信号とＢＥＣシンボル符号の間の情報データを再変調してシンボル分割点を変更する。再復調部６４は変更後のシンボル分割点に応じてデータ記憶部５０のデータを変更し、誤り訂正復号化部５６で処理される。誤り訂正処理された信号は、スクランブルされたデータであればデスクランブル部５８でデスクランブル処理等が施され、データ出力コントロール回路６０を通して出力される。情報データの信頼性が有る場合は、そのまま誤り訂正復号化部５６で処理される。
【００６６】
次に、図５の再生装置の動作を説明する。
【００６７】
図６に本実施形態の処理工程のデータ関係を示す。図６における変調方式はＲＬＬ（１７）符号を用いた場合について示した一例である。
【００６８】
記録される情報シンボルデータ（ヘキサ表示）は、シンボルデータのビット配列で連結し、ＲＬＬ（１７）符号の規則によってチャネルビットに変換される。チャネルビットストリームは、ＮＲＺＩ変調で記録ドライバによって記録媒体に記録される。ＮＲＺＩはチャネルビット信号の１の位置で極性反転を行う変調方式である。これによって記録信号の“１”もしくは“０”の連続距離は、最小で２チャネルビット、最大で８チャネルビットに制限される。このようにして記録媒体に記録された信号を再生する場合において、図３での２チャネルビットシフト現象が発生してシンボル分割点が２チャネルビットシフトして再生されると、図４の再生データ関係となる。
【００６９】
本実施形態では、同期信号検出で２チャネルビットシフトしている事が検出されたら、データ記憶部５０にその情報を記憶しておき、シンボル分割点を修正して復調する。
【００７０】
図７は再生処理のフローチャートである。先ず、ステップＳ１２で光ディスク４０から光ピックアップヘッド４２にて読み出された信号は同期検出分離回路４６でチャネルビットデータ読み出しのチャネルビットクロック（ＰＬＣＫ）が生成され、このクロックＰＬＣＫによって同期信号が検出される。このとき、ビットシフトも検出される。ステップＳ１４で、同期信号に基づいてシンボル分割点が決められ、復調部４８でシンボルデータに復調される。復調時には、セクタ同期やエラー訂正ブロック同期も取られ、データ記憶部５０の指定場所に一旦記録される。
【００７１】
ステップＳ１６で、エラーフラグ生成部５４により同期信号検出状況からビットシフトの有無を判断し、ビットシフトが有る場合は、ステップＳ１８で情報データの信頼性を示すシフトフラグをセットするとともに、ビットシフト量を記録する。
【００７２】
データ記憶部５０に誤り訂正ブロック全データが記憶されたら、ステップＳ２０で、ＢＥＣ訂正・検出部５２によりＢＥＣシンボルの誤り訂正処理を行う。図６の例では、ＢＥＣシンボル“９３”が誤り訂正により、“５８”に訂正されたとする。一般的には、同期信号とＢＥＣシンボル及びＢＥＣシンボル符号間の情報は、同期信号やＢＥＣシンボル符号が共に正しく検出されなかった場合は、情報データは誤っていると判断して、誤り訂正復号化部５６で処理される。ステップＳ２２でＢＥＣシンボルの訂正有りを示すフラグをセットするとともに、訂正後のＢＥＣシンボル“５８”を記録する。
【００７３】
情報データの誤り訂正処理を行う為、データ記憶部５０から情報データを読み出し、ステップＳ２４で対象の情報データの前のＢＥＣシンボルの訂正の有無を調べる。対象のＢＥＣシンボルが訂正されたものであれば、その周囲のシンボルデータは正しくない可能性が高いので、ステップＳ２６で復調シンボルデータ配列を再変調して、チャネルビットを得る。ステップＳ２８で再変調チャネルビットの中に訂正後のＢＥＣシンボル“５８”が含まれているか否か判定される。具体的には、ステップＳ１８で記録されたビットシフト量だけシンボル分割点をずらして、シンボル“５８”と一致するパターンがあるか否か判定する。一致するパターンが無い場合は、さらにシンボル分割点をずらして見る。訂正後のＢＥＣシンボル“５８”が再変調チャネルビットの中に含まれている場合は、ステップＳ３０で、そのシンボル“５８”に対応するシンボル分割点に基づいてチャネルビットを再分割し、再復調する。この再復調の結果、記録したシンボルと同じシンボルが復調される。
【００７４】
以上説明したように、本実施形態によれば、チャネルビット同期外れ（ビットシフト現象）が発生し、チャネルビットデータをシンボルデータに復調する為のチャネルビット分割点が誤ってしまっても、ビットシフト現象が何処から始まりどの程度シフトしたかを検出することにより、シンボル分割点を変更して、最復調することによりショートバーストエラーを補償することができる。そのため、列方向のみに誤り訂正符号を生成付加し、行方向の訂正符号を用いない為、列方向訂正符号を大きく出来るＬＤＣコード方式（積符号で利用されるエラーマークフラグを用いた消失訂正技術が利用できないものでも）において、ショートバーストエラーを補償することができる。なお、最近では、データ構造の効率を上げる為、同期信号距離を長く取っており、ディフェクト等によるチャネルビットクロックのシフト現象は大きな問題になっているので、本実施形態は効果が大きい。
【００７５】
さらに、バーストエラー検出シンボルが誤っている場合、バーストエラー検出シンボルを誤り訂正処理したデータと、フレーム内データシンボルを再変調して生成したチャネルビット列の分割点を変更して再復調したデータが上記誤り訂正したバーストエラー検出シンボルデータと等しい分割点を、それ以降のデータシンボルの分割点とすることにより、ショートバーストエラー符号間のシフト量検出を正しくする事が出来る。
【００７６】
また、バーストエラー検出シンボルがフレーム内に複数箇所挿入されており、データシンボルが再変調され、分割点を変更して再復調する時、各バーストエラー検出シンボルの正しい分割点ズレ量が検出されたら、そのズレ量に基づいてデータシンボル復調の変更分割点を決定することにより、前後のショートバーストエラー検出符号の検出状態で、シフト量の設定を導き出す事が可能になる。
【００７７】
また、バーストエラー検出シンボルがフレーム内に複数箇所挿入されており、同期信号検出距離がずれて検出された時、先ず当該同期信号の前のフレームにおける当該同期信号に最も近いバーストエラー検出シンボルの誤り検出訂正結果を調べ、次にその前のバーストエラー検出シンボルの誤り検出訂正結果を調べ、当該同期信号の前の同期信号まで順次検出訂正結果を調べ、データシンボルの再分割点を調整することにより、同期信号の検出ポイントがシフトしていた場合、ショートバーストエラー検出の処理は同期信号に近い側から前の信号にさかのぼって処理することで、シフトが複数箇所ある場合も検出が可能になる。
【００７８】
また、上記同期信号の検出タイミングにズレが検出された時、バーストエラー検出用シンボルの状態によって、データシンボルをチャネルビット信号に戻してシンボル分割点を変更して再復調し、変更したデータシンボルはエラーとしてフラグをたて、データシンボルの誤り訂正処理を行うことにより、シンボル分割点を変更した場合も、情報データはエラーであることのフラグをつけることで、誤訂正を防止することができる。
【００７９】
以下、本発明による信号再生方法及び装置の他の実施形態を説明する。他の実施形態の説明において第１の実施形態と同一部分は同一参照数字を付してその詳細な説明は省略する。
【００８０】
第２実施形態
図８は第２実施形態の信号再生装置のブロック図である。第１実施形態では、図５に示すように、再生処理工程では、チャンネルビットデータが読み出され、同期信号検出によって、シンボル分割点が設定され、復調回路４８でシンボルデータが復調、復調されたシンボルデータはデータ記憶部５０に記憶された後、誤り訂正ブロックのデータが記憶されたら、データ記憶部５０から読み出されて、誤り訂正処理がなされる。この工程で再変調・再復調が含まれるが、再変調の工程を削除するのが第２実施形態である。すなわち、チャネルビットデータは復調しないまま、データ記憶部５０に記憶し、誤り訂正処理を行う時に、データ記憶部５０からチャネルビットデータを読み出し、その場でシンボルデータに復調して訂正処理を行う。ビットシフトが検出された場合は、再分割部６２により変更したシンボル分割点を復調部４８へ指示する。この構成では再変調は必要無いが、変調方式がＲＬＬ方式では、データ記憶部５０は第１実施形態に比べて余分に必要となる。変調方式２／３ＲＬＬ（１，７）では１．５倍、ＤＶＤ規格で用いている８／１６ＲＬＬ（２，１０）では２倍の容量が必要になる。また、この方式では、データ記憶部５０に記憶されたチャネルビットを読み出して復調してから誤り訂正を行う必要があるため、先ず最初にＢＥＣ符号の誤り訂正処理では、変調方式が２／３ＲＬＬ（１、７）では、復調は隣のシンボル信号と連結している可能性があり、前後３シンボル分のチャネルビットデータを読み出さないと、ＢＥＣ符号の復調が出来ない事が発生する。しかしながら、同期信号の検出状態とＢＥＣ符号の誤り訂正の有無の状態からチャンネルビットクロックによるビットシフト現象から、読み出しデータを補償する為の技術を提供する事であり、データ記憶部５０の処理と復調部４８の処理に違いはない。
【００８１】
以上説明したように本発明によれば、積符号を用いずＬＤＣ方式を用いる事により、全体のデータ量に対するパリティー量の冗長率は上げずに、所定のシンボルサイズで、かつ大きな誤り訂正ブロックを採用する高密度記録媒体からのデータ再生において、ショートバーストエラー検出符号の確認処理を行う事で、ビットシフト現象で発生するエラー伝播を少なくする事ができる。
【００８２】
【発明の効果】
以上説明したように本発明によれば、記録密度を向上した記録媒体へのデータ記録再生に関わり、所定のシンボルサイズで、かつ大きな誤り訂正ブロックを採用する記録再生において、ショートバーストエラー検出符号の確認処理を行う事で、ビットシフト現象で発生するエラー伝播を少なくし、ディフェクト等に対する誤り訂正能力を向上させることができる。
【図面の簡単な説明】
【図１】本発明による信号再生装置の適用されるＤＶＤドライブの構成を示すブロック図。
【図２】本発明の一実施形態のＥＣＣブロックにおけるＢＥＣの配置例を示す図。
【図３】ビットシフト発生要因を説明するための図。
【図４】ビットシフト検出タイミングを示す図。
【図５】本発明による信号再生装置の第１実施形態の構成を示すブロック図。
【図６】第１実施形態のデータ変換工程を示す図。
【図７】第１実施形態の再生動作を示すフローチャート。
【図８】本発明による信号再生装置の第２実施形態の構成を示すブロック図。
【図９】従来のＤＶＤにおけるデータセクタの構成例を示す図。
【図１０】従来のＤＶＤにおけるＥＣＣブロックの構成例を示す図。
【図１１】従来のＤＶＤにおける行インターリーブ後のＥＣＣブロックの構成例を示す図。
【図１２】異なるＥＣＣブロック間のインターリーブ例を示す図。
【図１３】従来の列方向にのみ誤り訂正符号を付加したＬＤＣコード方式のＥＣＣブロックの構成例を示す図。
【図１４】図１３のＢＥＣシンボルの構成を示す図。
【符号の説明】
４０…光ディスク
４６…同期検出分離部
４８…復調部
５０…データ記憶部
５２…ＢＥＣ訂正・検出部
５４…エラーコントロール部
５６…誤り訂正復号化部
５８…デスクランブル部
６０…データ出力コントロール部
６２…再変調／再分割部
６４…再復調部
【図１】
0003670616.tif 000002
【図２】
0003670616.tif 000003
【図３】
0003670616.tif 000004
【図４】
0003670616.tif 000005
【図５】
0003670616.tif 000006
【図６】
0003670616.tif 000007
【図７】
0003670616.tif 000008
【図８】
0003670616.tif 000009
【図９】
0003670616.tif 000010
【図１０】
0003670616.tif 000011
【図１１】
0003670616.tif 000012
【図１２】
0003670616.tif 000013
【図１３】
0003670616.tif 000014
【図１４】
0003670616.tif 000015